【手続補正書】
【提出日】平成28年2月9日(2016.2.9)
【手続補正１】
【補正対象書類名】明細書
【補正対象項目名】００８８
【補正方法】変更
【補正の内容】
【００８８】
無効になった安全封緘具をさらに確実に表示することができるように、ロックシャックルと封緘具ヘッド部との間に、さらなる、好ましくは非常に薄い結合を設けることができ、これは封緘具ヘッド部に対してロックシャックルが相対的に移動したときには破壊される。このためこの結合はヒンジ要素から離れた所に設けられるべきである。
以下の項目は、国際出願時の特許請求の範囲に記載の要素である。
［項目１］
少なくとも１つの係合突出部（１１、１１１、２１１）を持ち、好ましくは少なくとも２つの係合突出部（１１、１１１、２１１）を持つ、１つの封緘具ベース部（１０、１１０、２１０）と、
前記封緘具ベース部（１０、１１０、２１０）に接続されており少なくとも１つのロックシャックル（２１、１２１、２２１）を持つ１つの封緘具ヘッド部（２０、１２０、２２０）と
を備える安全封緘具（１、１０１、２０１）であって、
各ロックシャックル（２１、１２１、２２１）が少なくとも１つのヒンジ要素ヒンジ要素（２２、１２２、２２２）を介して前記封緘具ヘッド部（２０、１２０、２２０）と可動式に接続されている安全封緘具（１、１０１、２０１）。
［項目２］
少なくとも１つのヒンジ要素（２２、１２２、２２２）が、少なくとも部分的に可塑性に変形可能である、項目１に記載の安全封緘具（１、１０１、２０１）。
［項目３］
一体成形品として、好ましくはプラスチックで形成されている、項目１もしくは２に記載の安全封緘具（１、１０１、２０１）。
［項目４］
好ましくは径方向に対向して位置する２つのロックシャックル（２１、１２１、２２１）を備える、項目１〜３のうちいずれか一項に記載の安全封緘具（１、１０１、２０１）。
［項目５］
各ロックシャックル（２１、１２１、２２１）に、２つのヒンジ要素（２２、１２２、２２２）が、好ましくは前記封緘具ヘッド部（２０、１２０、２２０）の側方に設けられている、項目１〜４のうちいずれか一項に記載の安全封緘具（１、１０１、２０１）。
［項目６］
前記封緘具ベース部（１０、１１０、２１０）が基本的に円形の横断面を備えている、項目１〜５のうちいずれか一項に記載の安全封緘具（１、１０１、２０１）。
［項目７］
各ロックシャックル（２１、１２１、２２１）が少なくとも部分的に、前記封緘具ベース部（１０、１１０、２１０）に対して径方向に突出している、項目１〜６のうちいずれか一項に記載の安全封緘具（１、１０１、２０１）。
［項目８］
少なくとも１つの係合突出部（１１、１１１、２１１）が径方向に前記封緘具ベース部（１０、１１０、２１０）から外側へと突出している、項目１〜７のうちいずれか一項に記載の安全封緘具（１、１０１、２０１）。
［項目９］
前記封緘具ヘッド部（２０、１２０、２２０）上、もしくは前記封緘具ベース部（１０、１１０、２１０）上に、少なくとも１つの径方向への突起もしくは凹部（２４、２２４）が形成されていて、その上に、少なくとも１つのロックシャックル（２１、１２１、２２１）の封緘具ベース部（１０、１１０、２１０）を向いた面が密着する、項目１〜８のうちいずれか一項に記載の安全封緘具（１、１０１、２０１）。
［項目１０］
少なくとも１つの係合突出部（１１、１１１、２１１）が前記封緘具ベース部（１０、１１０、２１０）に弾性をもって支持されていて、また径方向に内側に突出している、項目１〜９のうちいずれか一項に記載の安全封緘具（１、１０１、２０１）。
［項目１１］
複数の係合突出部（１１、１１１、２１１）が設けられ、複数の前記係合突出部は、好ましくは相互に同一の角度間隔で前記封緘具ベース部（１０、１１０、２１０）の周囲に配置されており、さらに好ましくは、偶数の係合突出部（１１、１１１、２１１）、特に２個、４個もしくは６個の係合突出部（１１、１１１、２１１）が設けられている、項目１〜１０のうちいずれか一項に記載の安全封緘具（１、１０１、２０１）。
［項目１２］
前記封緘具ヘッド部（２０）上に少なくとも１つの弾性のバネ舌片（２６）が設けられていて、前記ばね舌片が径方向へ、ロックシャックル（２１）の内側縁を越えて突出している、項目１〜１１のうちいずれか一項に記載の安全封緘具（１）。
［項目１３］
少なくとも１つの弾性のバネ舌片（２６）が、前記封緘具ヘッド部（２０）の上面に、好ましくは中央に取り付けられている、項目１２に記載の安全封緘具（１）。
［項目１４］
前記封緘具ヘッド部（２０、１２０、２２０）のジャケット面上に、径方向に突出している少なくとも１つの第２の係合突出部が設けられ、また少なくとも１つのロックシャックル（２１、１２１、２２１）上に１つのラッチが、前記第２の係合突出部に対して径方向において対向して位置するように設けられ、また軸方向では第２の係合突出部と比較してさらに前記封緘具ベース部（１０、１１０、２１０）の方向に配置されている、項目１〜１３のうちいずれか一項に記載の安全封緘具（１、１０１、２０１）。
［項目１５］
少なくとも前記ラッチもしくは前記第２の係合突出部が、弾性をもって形成されている、項目１２に記載の安全封緘具（１、１０１、２０１）。
［項目１６］
安全封鎖部材（５０、１５０）であって、
１つの第１の封鎖部材部分（５１、１５１）と、
開放位置と閉鎖位置の間で、第１の封鎖部材部分（５１、１５１）に対して相対的に往復移動可能な、１つの第２の封鎖部材部分（５２、１５２）とを備える安全封鎖部材（５０、１５０）であって、
前記封鎖部材部分（５１、１５１）が１つのホルダ（５３、１５３）を備え、前記ホルダ上に、項目１〜１５のうちいずれか一項に記載の前記封緘具（１、１０１、２０１）の前記封緘具ベース部（１０、１１０、２１０）が、前記第２の封鎖部材部分（５２、１５２）が閉鎖位置にある場合、前記安全封緘具（１、１０１、２０１）の少なくとも１つのロックシャックル（２１、１２１、２２１）が、前記第２の封鎖部材部分（５２、１５２）の前記第１の封鎖部材部分（５１、１５１）とは反対側の面上で、前記第２の封鎖部材部分（５２、１５２）と少なくとも部分的に重なるように係止可能である、安全封鎖部材（５０、１５０）。
［項目１７］
前記第２の封鎖部材部分（５２）が１つの凹部および／または１つの導通孔（５３）を備え、また前記封緘具ベース部（１０、２１０）がそこを貫通案内されることが可能であり、ならびに前記第２の封鎖部材部分（５２）の閉鎖位置では前記第１の封鎖部材部分（５１）の前記封緘具ベース部ホルダ（５３）内に係合することが可能である、項目１６に記載の安全封鎖部材（５０）。
［項目１８］
前記安全封緘具（１、１０１、２０１）の前記封緘具ベース部（１０、１１０、２１０）が、前記第２の封鎖部材部分（５２、１５２）の閉鎖位置では、前記第１の封鎖部材部分（５１、１５１）の前記封緘具ベース部ホルダ（５３、１５３）上に、前記安全封緘具（１、１０１、２０１）が前記第２の封鎖部材部分（５２、１５２）と、前記安全封緘具（１、１０１、２０１）が前記第１の封鎖部材部分（５１、１５１）に対して基本的に不動に保持され、特に回転、傾斜および／または摺動不可能であるように、形状一致で当接するように、係合可能であって、この際、前記安全封緘具（１、１０１、２０１）が、前記第２の封鎖部材部分（５２、１５２）の開放位置では、前記第１の封鎖部材部分（５１、１５１）に対して可動性で、特に回転、傾斜および／または摺動可能であるように係合可能である、項目１６もしくは１７に記載の安全封鎖部材（５０、１５０）。
［項目１９］
前記第１の封鎖部材部分（５１）上の前記ホルダ（５３）が、好ましくは、そのなかへ１つの安全封緘具（１、２０１）の封緘具ベース部（１０、２１０）が挿入可能である、少なくとも１つの径方向外側への拡張部を伴う、基本的に回転対称の断面を持つ、少なくとも１つの凹部を備える、項目１６〜１８のうちいずれか一項に記載の安全封鎖部材（５０）。
［項目２０］
前記第１の封鎖部材部分（５１、１５１）上の前記ホルダ（５３、１５３）が、その中へ少なくとも１つの係合突出部（１１、１１１、２１１）が挿入可能である、少なくとも１つの径方向外側へおよび／または内側への拡張部を持つ、基本的に円形の凹部を備える、項目１６〜１８のうちいずれか一項に記載の安全封鎖部材（５０、１５０）。
［項目２１］
前記第１の封鎖部材部分（１５１）上の前記ホルダ（１５３）が、キノコの形状の突起であって、その上に安全封緘具（１０１）の封緘具ベース部（１１０）を嵌合することができる、項目１６〜１８のうちいずれか一項に記載の安全封鎖部材（１５０）。
［項目２２］
前記安全封鎖部材（５０、１５０）が１つの付加的な既知の封鎖機構を備え、特に、それを用いて第２の封鎖部材部分（５２、１５２）を第１の封鎖部材部分（５１、１５１）上に締結可能である、１つの係合機構を備える、項目１６〜１８のうちいずれか一項に記載の安全封鎖部材（５０、１５０）。
［項目２３］
１つの容器槽（７１、１７１）と、１つの蓋（７２、１７２）と、項目１６〜２２のうちいずれか一項に記載の１つの安全封鎖部材（５０、１５０）とを備える安全容器（７０、１７０）であって、前記第１の封鎖部材部分および前記第２の封鎖部材部分（５１、１５１；５２、１５２）の１つがそれぞれ前記容器槽（７１、１７１）および前記蓋（７２、１７２）の１つに設けられている安全容器（７０、１７０）。
［項目２４］
少なくとも前記第１の封鎖部材部分（５１、１５１）もしくは前記第２の封鎖部材部分（５２、１５２）が、１つの閉鎖シャックル上に設けられていて、この閉鎖シャックルが相応に前記容器槽（７１、１７１）上および／または前記蓋（７２、１７２）上に旋回自在に設けられている、項目２３に記載の安全容器（７０、１７０）。
［項目２５］
滅菌コンテナ（７０）であって、
少なくとも１つの第１の封鎖部材部分（５１）を持つ１つのコンテナ槽（７１）を備え、この封鎖部材部分が、２つの円弧区間上に形成された対向して位置する２つの円弧形状の密着面（５５）を有する凹部（５３）を持ち、これらの密着面の間に２つの径方向への拡張部（５７）が設けられており、その結果、前記凹部（５３）が、基本的に円形の横断面と、径方向外側に突出している２つの係合突出部（１１、２１１）とを備え、ならびに該凹部（５３）内に軸方向に挿入可能である１つの安全封緘具（１、２０１）の１つの封緘具ベース部（１０、２０１）を、該係合突出部（１１、２１１）が該円弧区間（５５）と係合する切り下げ係合を作成し、ならびに該封緘具ベース部（１０、２１０）のジャケット面が部分的に密着面上へ当接するに至るように受入れるように適合されており、加えて、この凹部は、該係合突出部（１１、２１１）および該円弧区間（５５）の間の前記ノッチ係合を、該安全封緘具（１、２０１）の長手方向軸を中心に基本的に９０°回転することで解除することができ、その結果、この該安全封緘具（１、２０１）を該凹部（５３）から取り出すことが可能であるように適合されており、
ならびに、少なくとも１つの閉鎖シャックルを持つ１つのコンテナ蓋（７２）を備え、この閉鎖シャックルは旋回自在にコンテナ蓋（７２）に取り付けられていて、その結果閉鎖シャックルは開放位置から閉鎖位置へと往復移動可能であり、ならびに１つの導通孔（５４）を備える１つの第２の封鎖部材部分（５２）を備え、この導通孔は基本的に非回転対称な横断面を備え、ならびに、閉鎖シャックルの、該安全封緘具（１、２０１）に対して相対的に開放位置の方向へ向かう移動によって、少なくとも導通孔（５４）の周縁の一部分と、少なくとも該安全封緘具（１、２０１）の１つの封緘具ヘッド部（２０、２２０）に設けられているロックシャックル（２１、２２１）と、が当接するように、また閉鎖シャックルのこの方向へのさらに続く移動によって、少なくとも部分的に少なくとも１つのロックシャックル（２１、２２１）が可塑性の変形をするようになり、その結果、該閉鎖シャックルの前記導通孔（５４）が該封緘具ヘッド部（２０、２２０）を越えて導かれることが可能となるようにして、該安全封緘具（１、２０１）の該封緘具ヘッド部（２０、２２０）を回転方向に形状一致で受入れるように適合されている、滅菌コンテナ（７０）。
［項目２６］
前記閉鎖シャックルと前記第１の封鎖部材部分（５１）との間に付加的なロック機構ないしは封鎖機構が設けられることができ、その結果前記閉鎖シャックルの閉鎖位置では前記安全封鎖部材（５０）には基本的に力がかからない、項目２５に記載の滅菌コンテナ（７０）。